(57)【要約】      （修正有）【課題】省エネ性能に優れたコイルボビン式トランスを提供する。【解決手段】コイルボビン式トランスは、ボビン１を備え、ボビン１は中央開口部１ａと環状のガイド部とを備える。２次巻線はボビン１のガイド部内に巻回される。１次巻線はガイド部内における２次巻線の外周に巻回される。巻鉄心５は、環状のボビン１と、その外周に巻回された１次巻線及び２次巻線の外周に、ボビン１の中央開口部１ａとボビン１の外周部を通るように巻回される。ボビン１の外周に、ボビン１の縁に沿って、コイル２を覆うように直線状に絶縁材料が設けられる。【選択図】図１
0003235297.tif 000002
【実用新案登録請求の範囲】
【請求項１】
中央開口部と、環状のガイド部とを備えたボビンと、
前記ボビンの前記ガイド部内に巻回された２次巻線と、
前記ボビンの前記ガイド部内における前記２次巻線の外周に巻回された１次巻線と、
環状の前記ボビンと、その外周に巻回された前記１次巻線と前記２次巻線の外周に、前記ボビンの前記中央開口部と前記ボビンの外周部を通るように巻回された巻鉄心と、
を備えることを特徴とするコイルボビン式トランス。
【請求項２】
前記ボビンの外周に、前記ボビンの縁に沿って、前記巻線の外周を覆うように直線状に絶縁材料が設けられていることを特徴とする請求項１に記載のコイルボビン式トランス。
【請求項３】
前記２次巻線の線径が前記１次巻線の線径よりも大きいことを特徴とする請求項１又は請求項２に記載のコイルボビン式トランス。
【請求項４】
前記１次巻線と前記２次巻線が同じ肉厚の平角導体から構成され、前記２次巻線の前記平角導体の幅は前記１次巻線の前記平角導体の幅よりも大きいことを特徴とする請求項１から請求項３の何れかに記載のコイルボビン式トランス。
【考案の詳細な説明】
【技術分野】
【０００１】
本考案は、省エネ性能に優れたコイルボビン式トランスに関するものである。
【背景技術】
【０００２】
トランスの省エネ性能を向上させるため、巻鉄心を使用したコイルボビン式トランスが知られている。特許文献１や特許文献２に示すに示すトランスは、その一例である。この種のトランスは、コイルに鉄心を巻くことにより、鉄心有効断面を均一にすることができる、磁路が短くなる、方向性珪素鋼板の鉄心性能を有効に活用できる、という利点がある。また、鉄心に切断面やギャップがないため、漏洩磁束が少なく騒音や振動も発生し難い利点もある。
【先行技術文献】
【特許文献】
【０００３】
【特許文献１】特開２００３−００７５５４号公報
【特許文献２】特開２００１−２０３１１６号公報
【考案の概要】
【考案が解決しようとする課題】
【０００４】
このように省エネその他の利点が大きなコイルボビン式トランスではあるが、最近では、より小型で、電気的性能に優れた製品が要望されている。その一つに、突入電流の抑制がある。すなわち、一般的に、トランスを小型化させるためには、トランスのコアの磁束密度を高くするとコイルが小型化できるが、このことと、突入電流の値は反比例の関係になる。そのため、小型で、しかも突入電流が小さいコイルボビン式トランスの実現が要望されている。
【０００５】
さらに、この種のトランスは、図５（ａ）（ｂ）に示すように、枠状のボビン１にコイル２を巻回した後、ボビン１の開口部を通して巻鉄心５を巻回していくため、ボビン１に巻回したコイル２とその周囲に巻回される巻鉄心５との絶縁が不可欠である。従来、この絶縁は、絶縁紙等のシート状の絶縁材料、例えば絶縁紙６をボビン１とコイル２の外周に巻き付け、その外側から固定用テープ７によって押さえることにより、行っていた。
【０００６】
しかし、従来技術では、図５（ａ）に示すように、絶縁紙６はコイル２の外周面に密着して固定されていたため、固定した絶縁紙６の中央部分が折れ曲がってよれ６１が生じたり、皺がよったりする等の不都合がある。すなわち、ボビン１の周囲に巻回されたコイル２の外周は、ボビン１のコーナー部において湾曲して巻回されることから、平らなシート状の絶縁紙６をコイル２に巻き付けると、絶縁紙６の中央部分によれ６１が生じ、コイル２と巻鉄心５の絶縁が不均等になる恐れがある。また、このよれ６１は、その周囲に巻鉄心５を巻回する場合の障害になったり、コイル２の外周と巻鉄心５との間隔を不均等にさせたりして、トランス性能のばらつきの要因ともなる。
【０００７】
本考案は前記のような従来技術の問題点を解決するために提案されたものである。本考案の目的は、小型で電気的性能がより優れたコイルボビン式トランスを提供することである。
【課題を解決するための手段】
【０００８】
前記の目的を達成するために、本考案のトランスは、次のような構成を有することを特徴とする。
（１）中央開口部と、環状のガイド部とを備えたボビン。
（２）前記ボビンの前記ガイド部内に巻回された２次巻線。
（３）前記ボビンの前記ガイド部内における前記２次巻線の外周に巻回された１次巻線。
（４）環状の前記ボビンと、その外周に巻回された前記１次巻線と前記２次巻線の外周に、前記ボビンの前記中央開口部と前記ボビンの外周部を通るように巻回された巻鉄心。
【０００９】
前記のような構成を有する本考案のトランスは、次の構成を採用することができる。
（１）前記ボビンの外周に、前記ボビンの縁に沿って、前記巻線の外周を覆うように直線状に絶縁材料が設けられている。
（２）前記２次巻線の線径は前記１次巻線の線径よりも大きい。
（３）前記１次巻線と前記２次巻線は同じ肉厚の平角導体から構成され、前記２次巻線の平角導体の幅は前記１次巻線の平角導体の幅よりも大きい。
【考案の効果】
【００１０】
本考案の実施形態によれば、突入電流が抑制され、巻鉄心とコイルとの絶縁性能に優れたコイルボビン式トランスが得られる。
【図面の簡単な説明】
【００１１】
【図１】実施形態のコイルボビン式トランスの縦断面図。
【図２】実施形態のコイルボビン式トランスの横断面図。
【図３】実施形態のコイルボビン式トランスの巻線部分の拡大断面図。
【図４】実施形態のコイルボビン式トランスにおける絶縁紙の状態を示す図で、（ａ）は縦断面図、（ｂ）は横断面図。
【図５】従来技術のコイルボビン式トランスにおける絶縁紙の状態を示す図で、（ａ）は縦断面図、（ｂ）は横断面図。
【考案を実施するための形態】
【００１２】
［１．第１実施形態］
［１−１．第１実施形態の構成］
以下、本考案の第１実施形態を図面に従って具体的に説明する。
本実施形態のコイルボビン式のトランスは、中央開口部１ａと環状のガイド部１ｂとを備えたボビン１を備える。ボビン１は角が丸くなった長方形であり、その周囲にコイル２が巻回される。また、ボビン１の２つの長辺部分に、後述する巻鉄心５がそれぞれ巻回される。
【００１３】
ガイド部１ｂは、中央開口部１ａ側が底になった断面Ｕ字形の溝状部材である。ガイド部１ｂの溝内にコイル２が巻回させる。本実施形態では、コイル２は、２次巻線２１と１次巻線２２とから構成される。２次巻線２１は平角導体から構成される。
【００１４】
ガイド部１ｂ内に巻回された２次巻線２１の外周に、ガイド部１ｂの溝内に収まるように、１次巻線２２が巻回される。２次巻線２１は平角導体から構成される。１次巻線２２と２次巻線２１は同じ肉厚の平角導体から構成され、２次巻線２１の平角導体の幅は１次巻線２２の平角導体の幅よりも大きい。そのため、２次巻線２１の線径は１次巻線２２の線径よりも大きい。
【００１５】
環状のボビン１と、その外周に巻回されたコイル２の外周に絶縁紙６が設けられる。絶縁紙６は、ボビン１の溝内に巻回されたコイル２を外側から覆うように、断面が逆Ｕ字形になるようにボビン１に被せられる。この場合、絶縁紙６は、コイル２の表面に沿って湾曲して設けられるのではなく、ボビン１の縁に沿ってほぼ直線状に伸びた状態で、ボビン１内のコイル２を被覆する。その結果、図４（ａ）に示すように、ボビン１の両端側では、コイル２の表面と絶縁紙６との間に若干の隙間が生じるが、絶縁紙６は屈曲したり、しわが寄ったりすることなく、ボビン１およびコイル２の外周を被覆する。
【００１６】
絶縁紙６はボビン１に対して、固定用テープ７によって固定される。固定用テープ７は、ボビン１の開口部１ａを通ってボビン１の外周に巻き付けられる。本実施形態では、適切な間隔で配置された４本の固定用テープ７によって、絶縁紙６がボビン１に固定される。
【００１７】
なお、本考案において、絶縁紙６の代わりに、他の材質、例えば樹脂シートなどのシート状絶縁材料も使用可能である。
【００１８】
このようにボビン１に巻回された２次巻線２１、１次巻線２２、及び絶縁紙６の外周に巻鉄心５が巻回される。巻鉄心５はボビン１の中央開口部１ａとボビン１の外周部を通るように巻回される。本実施形態では、ボビン１に２個の巻鉄心５が巻回される。すなわち、長方形をした環状のボビン１は、２つの長辺部分を有することから、それぞれの長辺部分に巻鉄心５が巻回される。
【００１９】
［１−２．第１実施形態の作用効果］
前記のような構成を有する第１実施形態によれば、下記の作用効果が発揮される。
（１）１次巻線２２を２次巻線２１の外側に巻回することにより、１次巻線２２の巻径が大きくなり、２次巻線２１を外側に巻回した場合に比較して、突入電流の抑制が可能となる。
（２）絶縁紙６をボビン１の縁に沿って直線状に配置したため、絶縁紙６が折れ曲がったり、よれが生じたりすることがなく、コイル２と巻鉄心５との間に絶縁材料を均等に配置することが可能となる。
（３）１次巻線２２と２次巻線２１の両者を平角導体とすることで、巻線を密着して巻回することができ、巻回作業の効率化が図れる。
（４）平角導体の使用により、導体間に余分な空隙が生じないため、漏れ磁束の削減が可能となり、トランス性能の向上が可能となる。
【符号の説明】
【００２０】
１…ボビン
１ａ…中央開口部
１ｂ…ガイド部
２…コイル
２１…２次巻線
２２…１次巻線
４…絶縁材
５…巻鉄心
６…絶縁紙
７…固定用テープ
【図１】
0003235297.tif 000003
【図２】
0003235297.tif 000004
【図３】
0003235297.tif 000005
【図４】
0003235297.tif 000006
【図５】
0003235297.tif 000007